(57)【要約】【課題】  外部から操作されて移動する操作部材にシャッタ部材を連動させる連動機構の係合壁と凸部とに作用する力を緩和することができるディスクカートリッジを得る。【解決手段】  ディスクカートリッジ１０では、ディスクメディア１２を回転可能に収容したケース１４に、ドライブ装置のヘッドがディスクメディアの記録面にアクセスするためのヘッド開口部１６が設けられている。ヘッド開口部１６の一部は、インナロータ６０が外部から操作されて回転すると、カム凸部７２とカム溝７８の溝壁とがインナロータ６０の回動力を第２シャッタ７４の回動力に変換し、該回動力によって第２シャッタ７４が支軸５２廻りに回動することで開閉される。カム凸部７２は、支軸９２回りに回動してカム溝７８の溝壁に転がり接触しつつ該溝壁を押圧するローラ部材９０を備える。【選択図】      図２
2005259315.tif 000002
【特許請求の範囲】
【請求項１】
円板状に形成されたディスクメディアを回転可能に収容する収容部と、前記収容部における前記ディスクメディアの記録面側に設けられドライブ装置のヘッドが前記記録面にアクセスするためのヘッド開口部とを有するケースと、
外部から操作されて前記ケースに対し相対移動する操作部材と、
前記ケース及び操作部材の何れか一方の部材に回動可能に軸支され、該軸支部廻りに回動して前記ヘッド開口部の少なくとも一部を開閉するシャッタ部材と、
前記ケース及び操作部材のうち前記シャッタ部材が軸支されていない部材に設けられた突起と、前記シャッタ部材に設けられ前記突起が入り込む係合溝とを有し、前記突起が前記係合溝内を移動しつつ該係合溝の溝壁を押圧することで、前記操作部材を前記ケースに対し相対移動させる移動力を前記シャッタ部材の回動力に変換する連動機構と、を備え、
前記突起は、前記ケースと操作部材との相対移動によって前記係合溝の溝壁に転がり接触しつつ該溝壁を押圧するローラ部材を含んで構成されている、ことを特徴とするディスクカートリッジ。
【請求項２】
前記突起は、前記ローラ部材の周面のみが前記係合溝の溝壁に接触する、ことを特徴とする請求項１記載のディスクカートリッジ。
【請求項３】
前記ローラ部材は、円筒状に形成され、前記ケース及び操作部材の何れか一方の部材から突設された支軸に回転自在に遊嵌されている、ことを特徴とする請求項１または請求項２記載のディスクカートリッジ。
【請求項４】
前記ローラ部材は、前記支軸の先端が変形処理されて該支軸に対し抜け止めされている、ことを特徴とする請求項３記載のディスクカートリッジ。
【請求項５】
前記ローラ部材は、耐摩耗性及び低摩擦性を有する樹脂材にて構成されている、ことを特徴とする請求項１乃至請求項４の何れか１項記載のディスクカートリッジ。
【請求項６】
前記ローラ部材を構成する樹脂材は固体潤滑材を含有する、ことを特徴とする請求項５記載のディスクカートリッジ。
【請求項７】
前記ローラ部材を構成する樹脂材には耐摩耗性を向上する充填材を含有する、ことを特徴とする請求項５または請求項６記載のディスクカートリッジ。
【発明の詳細な説明】
【技術分野】
【０００１】
本発明は、情報や映像の記録再生媒体として用いられる円板状のディスクメディアをケース内に回転可能に収容したディスクカートリッジに関する。
【背景技術】
【０００２】
例えば、可搬性を有するコンピュータ用の記録再生媒体や映像の記録再生媒体として、光ディスクや光磁気ディスク等の円板状のディスクメディアが用いられている。このようなディスクメディアは、記録または再生を行なう際には、ディスクドライブ装置に装填された状態でスピンドル軸によって回転されつつ、ディスクメディアの記録面側にアクセスした記録ヘッドによって該ディスクメディアの記録層へレーザ光、またはレーザ光及び磁場の両者が照射される。これにより、ディスクメディアでは、記録層の分解及び／または昇温によるピット形成や相変化、磁化反転等によって情報の記録が為され、または再生ヘッドが照射するレーザ光の反射率や偏光角を該再生ヘッドで読み取って記録された情報の再生が行なわれるようになっている。
【０００３】
このようなディスクメディアの高記録容量化に伴い、ディスクメディアの記録面側の表面（記録層を被覆するカバー層）への塵埃等の付着を防止するために、ディスクメディアをケースの収容部内に収容したディスクカートリッジが知られている。このようなディスクカートリッジでは、ケースにおけるディスクメディアの記録面側に、それぞれディスクメディアのセンタ孔、記録面側にアクセスするためのチャッキング開口部及びヘッド開口部が設けられている。そして、ヘッド開口部を、インナロータによって駆動されるシャッタによって開閉する構成が知られている（例えば、特許文献１、特許文献２参照）。このようなディスクカートリッジのシャッタ機構について、図９、図１０に基づいて説明する。
【０００４】
図９に示すディスクカートリッジ１００は、ケース１０２の底板１０２Ａにディスクメディア（図示省略）のセンタ孔にアクセスするためのチャッキング開口部１０４、ドライブ装置のヘッドが記録面にアクセスするためのヘッド開口部１０６がそれぞれ設けられている。このケース１０２内におけるディスクメディアと底板１０２Ａとの間には、ディスクメディアと同軸的に回動可能なインナロータ１０７に一体に形成された第１シャッタ１０８と、ケース１０２におけるディスクメディアの径方向外側に回動軸１１２を有する第２シャッタ１１０とが設けられている。
【０００５】
第１シャッタ１０８と第２シャッタ１１０とは、図９（Ａ）に示す如く互いの突き当て端である当接端面１０８Ａ、１１０Ａを突き当ててヘッド開口部１０６を閉塞する。そして、インナロータ１０７を第１シャッタ１０８と共に矢印Ｇ方向に回動すると共に第２シャッタ１１０をヘッド開口部１０６に対し矢印Ｇとは略反対の矢印Ｈ方向に回動することで、図９（Ｂ）に示される如く、ヘッド開口部１０６が開放される。この第１シャッタ１０８と第２シャッタ１１０とは連動する。具体的には、インナロータ１０７（第１シャッタ１０８）から突設された凸部１１４が第２シャッタ１１０に設けられたガイド溝１１６に入り込んでおり、インナロータ１０７が第１シャッタ１０８と共に矢印Ｇ側に回動すると、凸部１１４がガイド溝１１６の溝壁と摺動しつつ該溝壁を押圧することで、第２シャッタ１１０が矢印Ｈ方向に回動し、ヘッド開口部１０６が開放される。また、これと反対の動作によってヘッド開口部１０６が閉塞される。
【０００６】
図１０に示す別のディスクカートリッジ１２０は、図示しないインナロータがケース１２２内でディスクメディアと同軸的な回動可能に設けられている。このインナロータには、それぞれ略半円状に形成された一対のシャッタ１２４がそれぞれ回動軸１２６回りの回動可能に支持されている。一対のシャッタ１２４は、インナロータの回動軸心に対し対称に形成・配置されており、弦部１２４Ａを互いに突き合わせてチャッキング開口部１０４及びヘッド開口部１０６を閉塞する。また、各シャッタ１２４のガイド溝１２８には、それぞれケース１２２の底板から突設された凸部１３０が入り込んでいる。そして、インナロータすなわち回動軸１２６を矢印Ｇ方向に回動すると、凸部１３０がガイド溝１２８の溝壁と摺動しつつ該溝壁を押圧することで、一対のシャッタ１２４が矢印Ｇ方向に回動しつつ互いに弦部１２４Ａを平行に維持したまま離間し、チャッキング開口部１０４及びヘッド開口部１０６を開放する。
【０００７】
しかしながら、上記の如き従来の各ディスクカートリッジ１００、１２０では、ガイド溝１１６、１２８の溝壁と凸部１１４、１３０との摺動によって、該ガイド溝１１６、１２８の溝壁または凸部１１４、１３０に摩耗が生じることが懸念される。摩耗に伴って摩耗粉が発生しディスクメディアの記録面側に付着すると、ディスクメディアへの情報の書き込みエラーまたはディスクメディアに記録された情報の読み取りエラー（所謂（ドロップアウト）の原因となる。
【０００８】
特に、ディスクカートリッジ１００では、ヘッド開口部１０６を閉塞状態から開放する際に、凸部１１４がガイド溝１１６における第２シャッタ１１０の回動軸心に近い部分を押圧する構造であるため、第２シャッタを回動するための所要のトルクを得るために大きな押圧力が必要であり、上記問題が顕著となる。また、上記ディスクカートリッジ１００では、ガイド溝１１６の矢印Ｈ側縁部と、第２シャッタ１１０の縁部との間の幅が狭いため、凸部１１４がガイド溝１１６の矢印Ｈ側を押圧したときに該幅狭部分が変形してしまい、第２シャッタ１１０の適正な作動が阻害されることが懸念される。
【特許文献１】特開２００３−２４２７４０号公報
【特許文献２】特開２００３−１１５１８４号公報
【発明の開示】
【発明が解決しようとする課題】
【０００９】
本発明は、上記事実を考慮して、外部から操作されて移動する操作部材にシャッタ部材を連動させる連動機構の係合溝と突起とに作用する力を緩和することができるディスクカートリッジを得ることが目的である。
【課題を解決するための手段】
【００１０】
上記目的を達成するために請求項１記載の発明に係るディスクカートリッジは、円板状に形成されたディスクメディアを回転可能に収容する収容部と、前記収容部における前記ディスクメディアの記録面側に設けられドライブ装置のヘッドが前記記録面にアクセスするためのヘッド開口部とを有するケースと、外部から操作されて前記ケースに対し相対移動する操作部材と、前記ケース及び操作部材の何れか一方の部材に回動可能に軸支され、該軸支部廻りに回動して前記ヘッド開口部の少なくとも一部を開閉するシャッタ部材と、前記ケース及び操作部材のうち前記シャッタ部材が軸支されていない部材に設けられた突起と、前記シャッタ部材に設けられ前記突起が入り込む係合溝とを有し、前記突起が前記係合溝内を移動しつつ該係合溝の溝壁を押圧することで、前記操作部材を前記ケースに対し相対移動させる移動力を前記シャッタ部材の回動力に変換する連動機構と、を備え、前記突起は、前記ケースと操作部材との相対移動によって前記係合溝の溝壁に転がり接触しつつ該溝壁を押圧するローラ部材を含んで構成されている、ことを特徴としている。
【００１１】
請求項１記載のディスクカートリッジでは、操作部材が外部から操作されてケースに対し相対移動すると、連動機構の突起が係合溝内を移動しつつ該係合溝の溝壁を押圧することで、操作部材の移動力の一部がシャッタ部材の回動力に変換され、シャッタ部材が軸支部廻りに回動する。この回動により、シャッタ部材は、ケースに設けられたヘッド開口部の少なくとも一部を開放または閉塞する。例えば、シャッタ部材をケースに回動可能に軸支した場合は突起が操作部材に設けられ、また例えば、シャッタ部材を操作部材に回動可能に軸支した場合は突起がケースに設けられる。
【００１２】
なお、連動機構は、操作部材の一方向の移動力をシャッタ部材の一方向の回動力に変換するものであっても良い。例えば、シャッタ部材自体がヘッド開口部の閉塞方向または開放方向（連動機構によって駆動されない方向）に付勢されている構成では、連動機構は、シャッタ部材に作用する付勢力を操作部材が操作前の状態に復帰する力に変換する。
【００１３】
ここで、係合溝の溝壁を押圧する突起が、該溝壁に転がり接触するローラ部材を含んで構成されているため、突起の係合溝に対する相対移動に伴う摩擦は摺動摩擦が低減されるか転がり摩擦のみになり、突起と係合溝（シャッタ部材）との間に作用する押圧力が低減する。これにより、突起、係合溝の溝壁の摩耗が抑制される。また、突起、係合溝が設けられた部材の変形が抑制され、シャッタの動作が確実になる。さらに、操作部材の操作力が低減する。
【００１４】
このように、請求項１記載のディスクカートリッジでは、外部から操作されて移動する操作部材にシャッタ部材を連動させる連動機構の係合溝と突起とに作用する力を緩和することができる。
【００１５】
請求項２記載の発明に係るディスクカートリッジは、請求項１記載のディスクカートリッジにおいて、前記突起は、前記ローラ部材の周面のみが前記係合溝の溝壁に接触する、ことを特徴としている。
【００１６】
請求項２記載のディスクカートリッジでは、操作部材の移動力をシャッタ部材の回動力に変換する際にローラ部材のみが係合溝の溝壁を押圧するため、換言すれば、突起と係合溝との相対移動に伴う摩擦は転がり摩擦のみとなるため、突起と係合溝との間に作用する押圧力が一層低減する。
【００１７】
請求項３記載の発明に係るディスクカートリッジは、請求項１または請求項２記載のディスクカートリッジにおいて、前記ローラ部材は、円筒状に形成され、前記ケース及び操作部材の何れか一方の部材から突設された支軸に回転自在に遊嵌されている、ことを特徴としている。
【００１８】
請求項３記載のディスクカートリッジでは、円筒状のローラ部材が支軸に遊嵌されているため、構造が簡単でかつ信頼性が高い。すなわち、例えばローラ部材に設けた支軸をケースまたは操作部材の軸孔に支持させる構成と比較して、片持ち支持になって回転抵抗が増したり、両端支持とするために組付性が悪化したり大型化することがない。
【００１９】
請求項４記載の発明に係るディスクカートリッジは、請求項３記載のディスクカートリッジにおいて、前記ローラ部材は、前記支軸の先端が変形処理されて該支軸に対し抜け止めされている、ことを特徴としている。
【００２０】
請求項４記載のディスクカートリッジでは、ローラ部材が挿通された支軸の先端が変形処理（例えば、かしめや熱かしめ等）されて該ローラ部材が支軸に対し抜け止めされている。このため、組付時にローラ部材が支軸から脱落することが防止され、組付性が良好である。
【００２１】
請求項５記載の発明に係るディスクカートリッジは請求項１乃至請求項４の何れか１項記載のディスクカートリッジにおいて、前記ローラ部材は、耐摩耗性及び低摩擦性を有する樹脂材にて構成されている、ことを特徴としている。
【００２２】
請求項５記載のディスクカートリッジでは、ローラ部材が耐摩耗性及び低摩擦性を有する樹脂材にて構成されているため、ローラ部材と係合溝の溝壁との転がり抵抗が一層低減されてローラ部材を含む突起と係合溝との間に作用する押圧力が一層低減する。また、ローラ部材の摩耗が一層抑制される。耐摩耗性及び低摩擦性を有する樹脂材としては、例えば、ポリアセタール（ＰＯＭ）等を用いることができる。
【００２３】
請求項６記載の発明に係るディスクカートリッジは、請求項５記載のディスクカートリッジにおいて、前記ローラ部材を構成する樹脂材は固体潤滑材を含有する、ことを特徴としている。
【００２４】
請求項６記載のディスクカートリッジでは、ローラ部材を構成する樹脂材が固体潤滑材を含有するため、ローラ部材と係合溝の溝壁との転がり抵抗がより一層低減されてローラ部材を含む突起と係合溝との間に作用する押圧力がより一層低減する。固体潤滑材としては、無機潤滑材、有機潤滑材、またはこれらの組合せとすることができ、例えば、二硫化モリブデンや黒鉛等を用いることができる。
【００２５】
請求項７記載の発明に係るディスクカートリッジは、請求項５または請求項６記載のディスクカートリッジにおいて、前記ローラ部材を構成する樹脂材には耐摩耗性を向上する充填材を含有する、ことを特徴としている。
【００２６】
請求項７記載のディスクカートリッジでは、ローラ部材を構成する樹脂材が耐摩耗性を向上する充填材（フィラー材）を含有するため、ローラ部材は、摩耗がより一層抑制される。このような充填材としては、例えば、ポリテトラフロオロエチレン（ＰＴＦＥ）、カーボン繊維、ガラス繊維等を用いることができる。
【発明の効果】
【００２７】
以上説明したように本発明に係るディスクカートリッジは、第２シャッタを大型化することなくヘッド開口部をスムースに開閉することができるという優れた効果を有する。
【発明を実施するための最良の形態】
【００２８】
本発明の一実施形態に係るディスクカートリッジ１０について、図１乃至図８に基づいて説明する。なお、各図に適宜示す矢印Ａは、ディスクカートリッジ１０のドライブ装置への装填方向を示しており、便宜上、ドライブ装置への装填方向である矢印Ａにて示す側を前側として説明する。また、矢印Ｂにて示す方向を上側、矢印Ｃにて示す方向を右側とする。
【００２９】
図１には、ディスクカートリッジ１０の外観形状が斜視図にて示されており、図２にはディスクカートリッジ１０が分解斜視図にて示されている。これらの図に示される如く、ディスクカートリッジ１０は、円板状に形成された情報記録再生媒体としてのディスクメディア１２を回転可能に収容するケース１４と、ケース１４の下面で開口し記録再生ヘッドがディスクメディア１２の記録面にアクセスするためのヘッド開口部１６を開閉するシャッタ機構１８と、ケース１４の上側に開口し該ケース１４に対するディスクメディア１２の出し入れを可能とするディスク開口部２０からのディスクメディア１２の脱落を防止するためのディスク保持機構２２とを主要構成要素として構成されている。なお、図１ではディスクメディア１２の図示を省略している。
【００３０】
先ず、ディスクカートリッジ１０の概略全体構成を説明し、その後、本発明の要部であるローラ部材の構成を説明することとする。
【００３１】
［ディスクカートリッジの全体構成］
（ディスクメディアの構成）
ディスクカートリッジ１０に収容されるディスクメディア１２は、上記の通り円板状に形成されている。ディスクメディア１２の軸心部には、ディスクドライブ装置の回転スピンドル軸にチャッキング（係合保持）されるセンタ孔１２Ａが設けられている。また、ディスクメディア１２の下面は、記録層がカバー層（何れも図示省略）にて被覆保護されて構成されている。記録層は、ディスクメディア１２の下面における外周近傍及びセンタ孔１２Ａ周りの所定範囲を除く部分に環状に形成され、この領域が記録領域とされている。ディスクメディア１２の下面におけるセンタ孔１２Ａの孔縁と記録領域の内縁との間の領域は、ドライブ装置の回転スピンドル軸がディスクメディア１２を保持するためのチャッキングエリアとされている。本実施形態では、ディスクメディア１２の直径（外径）は略１２０ｍｍとされている。
【００３２】
（ケースの構成）
ケース１４は、上シェル２４と下シェル２６とを接合して平面視で略矩形の扁平容器状に構成されている。具体的には、ケース１４は、平面視で前縁部が左右略対称の円弧状に形成されると共に後端が左右方向に沿う直線状に形成されており、この形状によってドライブ装置への誤装填を防止するようになっている。
【００３３】
上シェル２４は、平面視でケース１４の形状に対応した形状の天板２８と、天板２８の外縁に略沿って下方に立設された外周壁３０とを備えている。天板２８には、平面視で略円形のディスク開口部２０が設けられており、ディスク開口部２０の内径はディスクメディア１２の外径よりも大とされている。これにより、ディスク開口部２０を通してディスクメディア１２のケース１４への出し入れ（挿脱）が可能とされている。また、上シェル２４は、ディスク開口部２０の縁部に沿って下方に立設された環状の内周壁３２を備えている。
【００３４】
また、天板２８における後端側でかつ内周壁３２の径方向外側の２箇所には、後述するディスク押え部材８４取付用の切欠部３４が設けられている。さらに、天板２８における右側の切欠部３４の右側には、後述するロック部材８８を操作するための左右方向に長手のロック操作窓３６が設けられている。一方、外周壁３０におけるケース１４の右側の側壁を構成する部分の前後方向中央部には、前後方向に長手とされると共に下方に開口するコ字状の縁部を有する切欠部３０Ａが形成されている。
【００３５】
下シェル２６は、天板２８に略対応した形状の底板３８と、外周壁３０に略対応した形状の外周壁４０とを備えている。底板３８には、ディスクメディア１２のセンタ孔１２Ａに対応する略円形のチャッキング開口部４２と、上記ヘッド開口部１６とが連通して設けられている。以下の説明では、チャッキング開口部４２とヘッド開口部１６とをまとめてアクセス開口４４という場合がある。ヘッド開口部１６は、チャッキング開口部４２の径方向に長手の略矩形状に形成されており、チャッキング開口部４２の前側に連設されている。したがって、アクセス開口４４が形成する底板３８の切欠き縁は、前方に開口する略Ｕ字状に形成されている。また、ヘッド開口部１６は、外周壁４０における前部の左右方向中央部を全高に亘り切り欠いて構成されている。
【００３６】
外周壁４０は、その上端（開口端）を上シェル２４の外周壁３０の下端（開口端）に突き当ててケース１４の周壁を構成するようになっている。この外周壁４０における上シェル２４の切欠部３０Ａに対応する位置には、前後方向に長手とされると共に上方に開口するコ字状の縁部を有する切欠部４０Ａが形成されている。外周壁３０と外周壁４０とが互いに開口端を突き当てた状態では、切欠部３０Ａと切欠部４０Ａとがケース１４の右側の側面にシャッタ操作窓４６（図１参照）を形成するようになっている。シャッタ操作窓４６は、後述するインナロータ６０の操作突起６６露出用とされている。
【００３７】
また、下シェル２６は、チャッキング開口部４２と同軸的な円周に沿って底板３８から部分的に立設された内壁４８を備えている。内壁４８は、その内面を結ぶ仮想円の内径が上シェル２４の内周壁３２の外径よりも大とされており、上シェル２４と下シェル２６との接合状態で内周壁３２との間に隙間が形成されるようになっている。この隙間にインナロータ６０の環状壁部６２（後述）を入り込ませる構成である。そして、底板３８と内壁４８と上シェル２４の内周壁３２とが、ケース１４内においてディスクメディア１２を収容する収容部としてのディスク収容部５０（図１参照）を形成するようになっている。このディスク収容部５０は、上記の通りディスク開口部２０を通じてディスクメディア１２の出し入れが可能とされている。
【００３８】
さらに、底板３８における左後の角部近傍からは、支軸５２が突設されている。支軸５２の軸心は、内壁４８の外面に沿う円周の外側すなわちディスク収容部５０の外側に位置している。本実施形態では、支軸５２は、その内部が底板３８の外面に開口する基準孔５２Ａとされた円筒状に形成されている。底板３８における右後の角部近傍からは、基準孔５２Ａと対を成し左右方向に長手とされた基準孔５３Ａが設けられた突条５３が設けられている。また、底板３８の後部における内壁４８の径方向外側からは、左右一対の軸受部５４が突設されており、ディスク押え部材８４の軸支持用とされている。
【００３９】
さらにまた、底板３８の左端近傍における前後方向略中央部には、前後一対の凹部５６Ａ、５６Ｂが設けられている。凹部５６Ａ、５６Ｂは、それぞれインナロータ６０のカム凸部７２（後述）の移動軌跡の始端、終端を含むように、かつ互いに離間して配置されている。さらに、底板３８の左前の角部近傍には、一対のガイドピン５８が突設されている。一対のガイドピン５８は、内壁４８と同軸的かつ内壁４８よりも大径の仮想円周上に配置されており、後述するディスク受け部材８２のガイド用とされている。
【００４０】
以上説明した下シェル２６は、外周壁４０の上端面を外周壁３０の下端面に突き当てた状態で、ビス止めによって上シェル２４に接合されてケース１４を構成している。なお、上シェル２４と下シェル２６とは、ビス止めに代えて、例えば外周壁３０、４４を超音波溶着や接着等によって接合しても良い。
【００４１】
（シャッタ機構の構成）
シャッタ機構１８は、ケース１４内に設けられている。具体的には、シャッタ機構１８は、ケース１４内に配設された操作部材としてのインナロータ６０を備えている。インナロータ６０は、短円筒状に形成された環状壁部６２を備えている。環状壁部６２は、上記の通り、上シェル２４の内周壁３２と下シェル２６の内壁４８との間の隙間に摺動可能に入り込んでいる。これにより、インナロータ６０は、ケース１４に対するディスク収容部５０（に収容されるディスクメディア１２）と同軸的に回動可能とされている。
【００４２】
環状壁部６２の下端内側には、平板状の第１シャッタ６４が一体的に設けられている。第１シャッタ６４は、環状壁部６２と同軸同径の円板に、アクセス開口４４と略同形状の切欠部６５Ａと、後述する第２シャッタ７４の内周ディスク受け部（円弧リブ）８０の相対移動軌跡に対応した切欠部６５Ｂとを設けた形状とされている。また、環状壁部６２には、切欠部６５Ａの径方向外端に連続し縁部の形状が下方に開口する略コ字状の切欠部６２Ａが形成されている。この切欠部６２Ａが下シェル２６の外周壁４０が切欠かれた部分と一致することで、記録再生用ヘッドがディスクカートリッジ１０の前方からアクセスすることを許容する構成とされている。
【００４３】
この第１シャッタ６４は、下シェル２６の底板３８（ディスク収容部５０）上に摺動可能に載置されており、インナロータ６０の回動に伴ってヘッド開口部１６の外周側及び内周側の一部を閉塞する閉塞位置（図５参照）と、ヘッド開口部１６上から退避する開放位置（図８参照）とを取り得るようになっている。すなわち、開放位置に位置する第１シャッタ６４は、その切欠部６５Ａをアクセス開口４４上に略一致して位置させるようになっている。
【００４４】
そして、環状壁部６２の外周面からは、ケース１４のシャッタ操作窓４６から外部に露出される操作突起６６が突設されている。操作突起６６は、第１シャッタ６４が閉塞位置に位置するときにはシャッタ操作窓４６の前端に位置し、第１シャッタ６４が開放位置に位置するときにはシャッタ操作窓４６の後端に位置するように配置されている。
【００４５】
また、第１シャッタ６４の上面からは、切欠部６５Ａにおけるチャッキング開口部４２に対応する縁部に沿って円弧状に形成された内周受け凸部６８が立設されている。この内周受け凸部６８上にディスクメディア１２の上記チャッキングエリアの下面が当接するようになっている。したがって、第１シャッタ６４は、底板３８とディスクメディア１２との間に配置されてヘッド開口部１６の一部を開閉するようになっている。
【００４６】
一方、第１シャッタ６４の上面における外周近傍からは、環状壁部６２の内面とに跨がるように外周受け凸部７０が立設されている。外周受け凸部７０は、内周受け凸部６８と略同じ高さとされており、ディスクメディア１２の下面における記録領域よりも径方向外側の領域が当接するようになっている。これにより、第１シャッタ６４は、閉塞位置に位置すときには内周受け凸部６８及び外周受け凸部７０において、ディスクメディア１２を下方から支持する構成とされている。
【００４７】
さらに、第１シャッタ６４すなわちインナロータ６０の下面における外周近傍からは、本発明における突起としてのカム凸部７２が下方に向けて突出している。カム凸部７２は、切欠部６５Ｂの径方向外側に配置されており、第２シャッタ７４のカム溝７８（後述）に常に入り込むようになっている。このカム凸部７２は、ローラ部材９０を有して構成されているが、ローラ部材９０については後述する。
【００４８】
また、シャッタ機構１８は、第１シャッタ６４が閉塞位置に位置するときにヘッド開口部１６の残余の一部（内周側の一部）を閉塞する、本発明におけるシャッタ部材としての第２シャッタ７４を備えている。第２シャッタ７４は、平板状に形成されており、底板３８と摺動するようになっている。このため、第１シャッタ６４における第２シャッタ７４の移動領域と干渉する部分、具体的には主に切欠部６５Ｂの径方向外側部分は、他の部分よりも薄肉とされている。すなわち、第２シャッタ７４は、第１シャッタ６４におけるヘッド開口部１６を閉塞する部分よりも薄肉とされている。
【００４９】
この第２シャッタ７４は、長板状に形成されており、長手方向の一端部に下シェル２６の支軸５２に回動自在に軸支されるボス部７６を備えている。これにより、第２シャッタ７４は、支軸５２廻りの回動によって、ヘッド開口部１６の内周側の一部を閉塞する閉塞位置（図５参照）と、ヘッド開口部１６上から退避する開放位置（図８参照）とを取り得るようになっている。図１及び図５に示される如く、第１シャッタ６４と第２シャッタ７４とは、それぞれ閉塞位置に位置する状態では、互いの当接端面６４Ａ、７４Ａを突き当ててヘッド開口部１６を完全に閉塞する構成である。
【００５０】
当接端面７４Ａは、支軸５２の軸心を中心とする曲率半径を有する円弧状に形成されている。一方、当接端面６４Ａは、第１シャッタ６４、第２シャッタ７４が共に閉塞位置に位置する状態で、当接端面７４Ａにほぼ隙間なく当接する円弧形状に形成されている。これにより、第２シャッタ７４は、第１シャッタ６４の回動位置に依らず支軸５２廻りの回動が可能とされており、ヘッド開口部１６の開閉に伴って第１シャッタ６４と干渉することが確実に防止されてスムースに作動するようになっている。
【００５１】
そして、第１シャッタ６４は、インナロータ６０の軸心廻りに図５に示す矢印Ｄ方向に回動することで閉塞位置から開放位置側へ移動し、第２シャッタ７４は、支軸５２廻りにヘッド開口部１６に対し矢印Ｄとは略反対向きの矢印Ｅ方向に回動することで閉塞位置から開放位置側へ移動する構成とされている。また、これらの第１シャッタ６４と第２シャッタ７４とは互いに連動するようになっている。具体的には、第２シャッタ７４には長手方向に略沿う係合溝としてのカム溝７８が設けられており、このカム溝７８には第１シャッタ６４のカム凸部７２が入り込んでいる。
【００５２】
これにより、ヘッド開口部１６の閉塞状態で、インナロータ６０の操作突起６６が後方に移動して第１シャッタ６４が矢印Ｄ方向に回動すると、矢印Ｄ方向に回動（公転）するカム凸部７２がカム溝７８の溝壁を押圧することで第２シャッタ７４が矢印Ｅ方向に回動するようになっている。すなわち、インナロータ６０の矢印Ｄ方向への回動力を、カム凸部７２がカム溝７８の矢印Ｅ側の溝壁７８Ａを押圧することで、第２シャッタ７４の矢印Ｅ方向の回動力に変換するようになっており、このカム凸部７２とカム溝７８とが本発明における連動機構に相当する。
【００５３】
カム凸部７２は、ヘッド開口部１６の閉塞状態ではカム溝７８における支軸５２側の端部近傍に位置しており、図６及び図７に示される如くインナロータ６０の矢印Ｄ方向への回動に伴って支軸５２から離間するよう相対移動する構成である。すなわち、カム凸部７２は、カム溝７８の長手方向に相対移動しつつ、該カム溝７８の溝壁を押圧する構成とされている。
【００５４】
そして、本実施形態では、図７に示す如く、第２シャッタ７４が第１シャッタ６４よりも先に開放位置に達するようになっており、その後の第２シャッタ７４の矢印Ｅ方向への回動を防止しつつ第１シャッタの矢印Ｄ方向の回動を担保するために、カム溝７８の支軸５２側と反対側の端部は、第２シャッタ７４が開放位置に位置するときにカム凸部７２の移動軌跡に一致する円弧状に形成されている。これにより、第１シャッタ６４は、第２シャッタ７４と干渉することなく図７に示す回動位置から図８に示す開放位置へ移動するようになっている。
【００５５】
また、シャッタ機構１８では、ヘッド開口部１６の開放状態からインナロータ６０を矢印Ｄと反対方向に回動することで、図７及び図６に示す状態を経て図５に示すヘッド開口部１６の閉塞状態に復帰する構成である。すなわち、カム凸部７２とカム溝７８とで構成される連動機構は、インナロータ６０の矢印Ｄとは反対方向への回動力を、カム凸部７２がカム溝７８の溝壁７８Ａと対向する溝壁７８Ｂを押圧することで、第２シャッタ７４の矢印Ｅとは反対の矢印Ｆ方向の回動力に変換するようになっている。
【００５６】
また、図１及び図２に示される如く、第２シャッタ７４の上面からは、ヘッド開口部１６を閉塞した状態で第１シャッタ６４の内周受け凸部６８とで環状を成す円弧状の内周受け凸部８０が突設されている。第２シャッタ７４における内周受け凸部８０の外側（径方向内側）は、切欠部７４Ｂ（図２参照）とされている。したがって、第１シャッタ６４及び第２シャッタ７４が共に閉塞位置に位置する状態で、チャッキング開口部４２は完全に開放される構成とされている。換言すれば、チャッキング開口部４２は、常に開放されてディスク開口部２０と連通する構成である。
【００５７】
内周受け凸部８０は、ヘッド開口部１６を閉塞した状態で、その上面を内周受け凸部６８の上面と略面一とし、ディスクメディア１２の下面におけるチャッキングエリアの残余の一部に下方から接する（下側から支持する）構成である。このため、ディスクメディア１２の下面すなわち記録面側には、常に開放されるチャッキング開口部４２を経由して塵芥等が侵入することがない構成とされている。
【００５８】
そして、シャッタ機構１８では、インナロータ６０が矢印Ｄ方向に回動すると、下シェル２６の凹部５６Ａに入り込んでいたカム凸部７２が該凹部５６Ａから抜け出し、第１シャッタ６４が持ち上がって第２シャッタ７４よりも上側に位置するようになっている。これにより、ヘッド開口部１６の開放動作の初期に第２シャッタ７４の内周受け凸部８０がディスクメディア１２の下面から離間し、矢印Ｅ方向に回動する第２シャッタの内周受け凸部８０がディスクメディア１２の記録面に接触してしまうことが防止される構成である。また、第１シャッタ６４に切欠部６５Ｂが設けられていることにより、第２シャッタ７４の内周受け凸部８０が第１シャッタ６４に干渉することがない構成とされている。
【００５９】
また、開放位置まで移動した第１シャッタ６４のカム凸部７２は、凹部５６Ｂに入り込んで第１シャッタ６４を底板３８上に載置する状態に復帰させ、ディスクメディア１２を底板３８と略平行な状態に復帰させるうようになっている。これにより、ディスクメディア１２のドライブ装置の回転スピンドル軸による確実なチャッキングが可能となると共に、回転するディスクメディア１２が第１シャッタ６４に干渉することが防止される構成である。なお、ヘッド開口部１６の開放状態から閉塞状態への移行過程では、上記説明の逆の動作が行なわれるようになっている。
【００６０】
さらに、シャッタ機構１８は、ディスク受け部材８２を備えている。ディスク受け部材８２は、第１シャッタ６４及び第２シャッタ７４がヘッド開口部１６を閉塞した状態で、第１シャッタ６４の切欠部６５Ａの径方向外端において切欠かれた外周受け凸部７０の周方向端部間を架け渡すディスク外周受け部８２Ａを備えている。すなわち、ディスク外周受け部８２Ａは、閉塞位置に位置する第１シャッタ６４の外周受け凸部７０とで環状を成すと共に、この状態で上面が外周受け凸部７０の上面と略面一とされ、ディスクメディア１２の下面における記録面よりも径方向外側部分の残余の一部に下方から接する（下側から支持する）構成である。これにより、ディスクメディア１２の下面すなわち記録面側には、ディスク開口部２０を経由して塵芥等が侵入することがない構成とされている。
【００６１】
このディスク受け部材８２は、下シェル２６の一対のガイドピン５８によって上下動可能に支持されており、インナロータ６０が矢印Ｄ方向に回動する動作に伴って下降し、矢印Ｄ方向に回動する外周受け凸部７０と干渉しない構成とされている。詳細は省略するが、ディスク外周受け部８２Ａ及び外周受け凸部７０の対応する周方向端部が上下に重なり合うテーパ状に形成されており、インナロータ６０の矢印Ｄ方向の回動によってディスク外周受け部８２Ａを外周受け凸部７０の下側に潜り込ませる構成とされている。なお、ヘッド開口部１６の開放状態から閉塞状態への移行過程では、上記説明の逆の動作が行なわれるようになっている。
【００６２】
（ディスク保持機構の構成）
ディスク保持機構２２は、ディスク押え部材８４を備えている。ディスク押え部材８４は、下シェル２６の一対の軸受部５４にそれぞれ回動自在に軸支される一対の支軸部８４Ａと、一対の支軸部８４Ａと一体に形成された左右方向に長手のアーム部８４Ｂとを備えて構成されている。また、アーム部８４Ｂには、ディスクメディア１２の上面に当接する左右一対のディスク当接部８４Ｃが設けられている。ディスク当接部８４Ｃは、樹脂材等にて一体成形される支軸部８４Ａ及びアーム部８４Ｂに対し、別部材であるゴム等にて構成することができる。
【００６３】
ディスク押え部材８４は、支軸部８４Ａ周りの回動によって、アーム部８４Ｂをディスク収容部５０（ディスク開口部２０）内に張り出してディスク当接部８４Ｃをディスクメディア１２の上面に当接させるディスク押え位置と、アーム部８４Ｂをディスク収容部５０内に張り出しつつディスク当接部８４Ｃをディスクメディア１２の上面から離間させるディスク回転許容位置と、アーム部８４Ｂをディスク収容部５０から退出させるディスク挿脱可能位置とを選択的に取り得る構成とされている。
【００６４】
また、図２に示される如く、ディスク保持機構２２は、ディスク押え部材８４をディスク押え位置側に付勢するディスク押えばね８６と、ケース１４内に左右方向のスライドのみ可能に設けられ操作突起８８Ａをロック操作窓３６から露出させたロック部材８８とを備えている。ディスク押えばね８６は、捩りコイルばねとされており、一端部がアーム部８４Ｂに係止されると共に他端部がロック部材８８の係合突起８８Ｂに係合している。これにより、ディスク押え部材８４は、通常はディスク押えばね８６の付勢力によってディスク押え位置に位置し、ディスクメディア１２を保持する構成である。
【００６５】
このディスク押え部材８４は、第１シャッタ６４がヘッド開口部１６を開放する動作に伴ってディスク押え位置からディスク回転許容位置に移動するようになっている。具体的には、インナロータ６０の環状壁部６２には、他の部分よりも壁高が高い部分が設けられており（図示省略）、該部分がインナロータ６０の矢印Ｄ方向への回動に伴ってアーム部８４Ｂを切欠部３４内において上方に持ち上げることで、ディスク押え部材８４をディスク押え位置からディスク回転許容位置に移動させる構成である。そして、ヘッド開口部１６が開放されている状態で、ディスク押え部材８４がディスク回転許容位置に位置する状態が維持されるようなっている。これにより、ディスク押え部材８４が回転するディスクメディア１２に干渉することが防止される構成である。
【００６６】
また、ロック部材８８は、操作突起８８Ａがロック操作窓３６の左端に位置するときにはディスク押えばね８６の他端部に係合するが、操作突起８８Ａがロック操作窓３６の右端に位置するときにはディスク押えばね８６の他端部との係合が解除されるようになっている。したがって、操作突起８８Ａを操作してロック部材８８を右方に移動させることで、ディスク押え部材８４にはディスク押えばね８６の付勢力が作用しなくなる。この状態でディスク押え部材８４を人手によってディスク挿脱可能位置に移動すれば、ディスク押え部材８４から手を離してもディスク押え部材８４がディスク押え位置に復帰してしまうことがなく、ディスクメディア１２のディスク収容部５０への挿入、取り出し（離脱）、取替え等を容易に行なうことができる構成である。
【００６７】
［ローラ部材の構成］
図３及び図４に示される如く、カム凸部７２は、ローラ部材９０を備えている。ローラ部材９０は、円筒状に形成されており、第１シャッタ６４（インナロータ６０）の下面から突設された支軸９２に遊嵌されている。これにより、ローラ部材９０は支軸９２廻りの回動自在とされている。また、ローラ部材９０は、支軸９２に対し抜け止めされている。
【００６８】
具体的には、支軸９２は、ローラ部材９０よりも軸線方向に長く形成されており、図４（Ａ）に示す如くローラ部材９０に挿通した状態で、該ローラ部材９０から突出した先端を変形処理して、図４（Ｂ）に示す如くローラ部材９０の内縁よりも径方向外側に張り出す鍔部９２Ａを形成することで、ローラ部材９０を抜け止めするようになっている。
【００６９】
これにより、下シェル２６の底板３８の上面に第１シャッタ６４の下面を載置する組付時に、カム凸部７２を下向きにしてもローラ部材９０が脱落してしまうことが防止される構成である。なお、支軸９２先端の変形処理としては、例えば、該先端をハンマ等で叩くかしめ処理、該先端を加熱しつつ軸線方向に押圧する熱かしめ処理等が用いられる。
【００７０】
以上説明したカム凸部７２は、上記の通り第２シャッタ７４のカム溝７８に入り込んでおり、ローラ部材９０の外周面のみがカム溝７８の溝壁７８Ａ、７８Ｂに接触するようになっている。カム凸部７２は、第１シャッタ６４からの突出高がカム溝７８の深さ（本実施形態では第２シャッタ７４の厚み）よりも大とされており、上記の通り第２シャッタ７４が開放位置または閉塞位置に位置する状態でケース１４の凹部５６Ａ、５６Ｂに入り込むようになっている。第２シャッタ７４が開放位置と閉塞位置との間に位置する状態では、支軸９２の鍔部９２Ａが底板３８と摺動する構成である。この状態で、鍔部９２Ａが溝壁７８Ａ、７８Ｂに接触することを防止するために、鍔部９２Ａは、ローラ部材９０の外縁よりも径方向外側に突出しないように形成されている。
【００７１】
そして、カム凸部７２は、インナロータ６０が矢印Ｄ方向に回動すると、ローラ部材９０がカム溝７８の溝壁７８Ａを押圧しつつカム溝７８に対し該カム溝７８の長手方向に相対移動する構成である。この相対移動によって、ローラ部材９０が支軸９２廻りに回転するようになっている。
【００７２】
すなわち、カム凸部７２とカム溝７８とで構成される連動機構は、ローラ部材９０が溝壁７８Ａに転がり接触しつつ該溝壁７８Ａを矢印Ｅ側に押圧することで、上記の通りインナロータ６０のケース１４に対する回動力を第２シャッタ７４の矢印Ｅ方向への回動力に変換する構成である。同様に、カム凸部７２とカム溝７８とで構成される連動機構は、ローラ部材９０が溝壁７８Ｂに転がり接触しつつ該溝壁７８Ｂを矢印Ｆ側に押圧することで、上記の通りインナロータ６０のケース１４に対する回動力を第２シャッタ７４の矢印Ｆ方向への回動力に変換する構成である。
【００７３】
また、ローラ部材９０は、耐摩耗性及び滑り性に優れた樹脂材にて構成されている。本実施形態では、ローラ部材９０をポリアセタール（ＰＯＭ）にて構成している。また、本実施形態では、第２シャッタ７４をＰＯＭにて構成している。これにより、ローラ部材９０と溝壁７８Ａ、７８Ｂとの転がり摩擦抵抗が低減されると共に、ローラ部材９０及び溝壁７８Ａ、７８Ｂ（第２シャッタ７４）に摩耗が生じ難い構成とされている。
【００７４】
さらに、ローラ部材９０を構成する樹脂材であるＰＯＭには、例えば、黒鉛や二硫化モリブデン等の固体潤滑材が混合されている。これにより、ローラ部材９０と溝壁７８Ａ、７８Ｂとの転がり摩擦抵抗が一層低減されるようになっている。また、ローラ部材９０を構成する樹脂材であるＰＯＭには、上記固体潤滑材に加え、耐摩耗性を向上するフィラー材（充填材）が充填されている。これにより、ローラ部材が一層摩耗し難い構成とされている。フィラー材としては、例えば、ポリテトラフロオロエチレン（ＰＴＦＥ）、カーボン繊維、ガラス繊維等が用いられる。
【００７５】
次に、本実施形態の作用を説明する。
【００７６】
上記構成のディスクカートリッジ１０では、保管時や運搬時等の不使用時には第１シャッタ６４、第２シャッタ７４がそれぞれ閉塞位置に位置してヘッド開口部１６を閉塞している。また、内周受け凸部６８、８０が環状を成してディスクメディア１２のチャッキングエリアに当接することで該ディスクメディア１２の内周側から記録面側への塵芥等の侵入を防止すると共に、外周受け凸部７０とディスク受け部材８２のディスク外周受け部８２Ａとが環状を成してディスクメディア１２の記録面よりも径方向外側部分に当接することで該ディスクメディア１２の外周側から記録面側への塵芥等の侵入を防止している。さらに、ディスク押え部材８４がディスク押えばね８６の付勢力によってディスクメディア１２を下方に押し付け、該ディスクメディア１２のガタつきを防止している。
【００７７】
このディスクカートリッジ１０を使用する際、すなわちディスクメディア１２に情報を記録する際またはディスクメディア１２に記録された情報を再生する際には、ディスクカートリッジ１０を矢印Ａ方向に沿ってドライブ装置に装填する。この装填動作（ディスクカートリッジ１０とドライブ装置との相対移動）に伴って、ドライブ装置の開閉部材がインナロータ６０の操作突起６６に係合して該操作突起６６を後方に移動する。
【００７８】
すると、インナロータ６０すなわち第１シャッタ６４が矢印Ｄ方向に回動し、カム凸部７２のローラ部材９０が第２シャッタ７４のカム溝７８の溝壁７８Ａを矢印Ｅ側に押圧する。これにより、第２シャッタ７４が第１シャッタ６４と連動しつつ矢印Ｅ方向に回動する。このとき、カム凸部７２はカム溝７８に対し相対的に移動し、該移動に伴ってローラ部材９０が支軸９２廻りに回転する、すなわちローラ部材９０の外周面が溝壁７８Ａに転がり接触する。そして、図６及び図７に示す状態を経て、操作突起６６がシャッタ操作窓４６の後端まで移動すると、図８に示される如くヘッド開口部１６が完全に開放された状態になる。
【００７９】
次いで、ドライブ装置内では、基準孔５２Ａ、５３Ａに位置決めピンが挿入される等してディスクカートリッジ１０が位置決めされる。この位置決め状態でチャッキング開口部４２からはドライブ装置の回転スピンドル軸が進入し、該回転スピンドル軸がディスクメディア１２のセンタ孔１２Ａ（及びチャッキングエリア）をチャッキングして該ディスクメディア１２を保持しつつ第１シャッタ６４の上面から離間させる。そして、回転スピンドル軸が回転すると、ディスクメディア１２がケース１４内で非接触で回転駆動される。一方、ヘッド開口部１６からはドライブ装置の記録再生ヘッドが進入する。この記録再生ヘッドによって、ディスクメディア１２の記録面に情報が記録され、または記録面に記録された情報が再生される（ディスクメディア１２が使用される）。
【００８０】
ディスクメディア１２の使用後には、ディスクカートリッジ１０がドライブ装置から排出される。この排出動作に伴って、ドライブ装置の開閉部材がインナロータ６０の操作突起６６に係合して該操作突起６６を前方に移動する。すると、インナロータ６０すなわち第１シャッタ６４が矢印Ｄとは反対方向に回動し、カム凸部７２のローラ部材９０が第２シャッタ７４のカム溝７８の溝壁７８Ｂを矢印Ｆ側に押圧する。これにより、第２シャッタ７４が第１シャッタ６４と連動しつつ矢印Ｆ方向に回動する。このとき、カム凸部７２はカム溝７８に対し相対的に移動し、該移動に伴ってローラ部材９０が支軸９２廻りに回転する、すなわちローラ部材９０の外周面が溝壁７８Ｂに転がり接触する。そして、図７及び図６に示す状態を経て、操作突起６６がシャッタ操作窓４６の前端まで移動すると、図５に示される如くヘッド開口部１６が完全に閉塞された状態に復帰する。
【００８１】
ここで、カム溝７８とでインナロータ６０の回動力を第２シャッタ７４の回動力に変換するカム凸部７２は、カム溝７８の溝壁７８Ａ、７８Ｂに転がり接触しつつ該溝壁７８Ａ、７８Ｂを押圧するローラ部材９０を備えるため、カム凸部７２とカム溝７８との相対動に伴う摩擦が低減される。このため、カム凸部７２が溝壁７８Ａ、７８Ｂを押圧する押圧力及びその反力が緩和される。これにより、カム凸部７２、溝壁７８Ａ、７８Ｂ（第２シャッタ７４）の摩耗が抑制される。特に、ディスクカートリッジでは、カム凸部７２が溝壁７８Ａにおける第２シャッタ７４の支軸５２側の部分を押圧する、ヘッド開口部１６の開放動作初期の押圧力が大きくなるが、上記通りカム凸部７２が溝壁７８Ａ、７８Ｂを押圧する押圧力及びその反力が緩和されるため、溝壁７８Ａの支軸５２側部分の摩耗が効果的に抑制される。
【００８２】
このように、本実施形態に係るディスクカートリッジ１０では、外部から操作されて回動するインナロータ６０に第２シャッタを連動させる連動機構の溝壁７８Ａ、７８Ｂとカム凸部７２とに作用する力を緩和することができる。
【００８３】
また、上記通りカム凸部７２が溝壁７８Ａ、７８Ｂを押圧する押圧力及びその反力が緩和されるため、カム凸部７２、第２シャッタ７４の変形、特に第２シャッタ７４における溝壁７８Ａと外縁部との幅狭部分の変形が効果的に抑制される。さらに、インナロータ６０を回動するための操作突起６６の操作力が低減される。すなわち、ディスクカートリッジ１０をドライブ装置に装填する際の押し込み力または引き込み力が低減される。
【００８４】
そして、ディスクカートリッジ１０では、カム凸部７２がローラ部材９０においてのみ溝壁７８Ａ、７８Ｂに接触するため、カム凸部７２と溝壁７８Ａ、７８Ｂとの摩擦は転がり摩擦のみとなり、カム凸部７２が溝壁７８Ａ、７８Ｂを押圧する押圧力及びその反力が一層緩和される。特に、ローラ部材９０を滑り性の良好な、すなわち低摩擦性を有する樹脂材にて構成しているため、カム凸部７２と溝壁７８Ａ、７８Ｂとの転がり摩擦力が一層低減される。また特に、この樹脂材が固体潤滑材を含有するため、カム凸部７２と溝壁７８Ａ、７８Ｂとの転がり摩擦力がより一層低減される。これらにより、カム凸部７２が溝壁７８Ａ、７８Ｂを押圧する押圧力及びその反力がより一層緩和される。
【００８５】
また、ローラ部材９０を耐摩耗性の良好な樹脂材にて構成しているため、該ローラ部材９０の磨耗が一層効果的に抑制される。特に、この樹脂材が耐摩耗性を向上するフィラー材を含有するため、換言すれば、ローラ部材９０の耐摩耗性が向上するため、該ローラ部材９０の磨耗がより一層効果的に抑制される。
【００８６】
またここで、カム凸部７２が、インナロータ６０から突設された支軸９２と、支軸９２に遊嵌された回転自在なローラ部材９０とで構成されているため、構造が簡単であると共に信頼性が高い。すなわち、例えばローラ部材９０に設けた支軸をインナロータ６０の軸孔に遊嵌して支持させる構成と比較して、片持ち支持になって回転抵抗が増したり、両端支持とするために組付性が悪化したり大型化することがない。
【００８７】
そして、ローラ部材９０が支軸９２に対し抜け止めされているため、カム凸部７２を下向きにしてインナロータ６０を下シェル２６上に載置する場合でも、ローラ部材９０が脱落しないように慎重かつ煩雑な作業を行なう必要はなく、すなわち、従来の如き単なる凸部を有する構成と同様に取り扱いことができ、組付性が良好である。
【００８８】
なお、上記の実施形態では、第２シャッタ７４がケース１４に回動可能に軸支される構成を示したが、本発明はこれに限定されず、例えば、図１０に示すディスクカートリッジ１２０の凸部１３０に本発明を適用することも可能である。また、上記実施形態では、第２シャッタ７４のカム溝７８にインナロータ６０のカム凸部７２が入り込む構成を例示支たが、本発明はこれに限定されず、例えば、第２シャッタにカム凸部７２を設けると共にインナロータ６０にカム溝７８を設けても良く、ディスクカートリッジ１２０に適用する場合においては、ケース１２２に設けたガイド溝１２８に一対のシャッタ１２４のカム凸部７２を入り込ませるようにしても良い。すなわち、本発明は、シャッタ部材の形状やヘッド開口部１６の閉塞範囲等によって限定されることはない。
【００８９】
さらに、上記の実施形態では、ローラ部材９０が単なる円筒形状である構成としたが、本発明はこれに限定されず、例えば、ローラ部材９０を段付き円筒状等に形成しても良い。また、本発明は、ローラ部材９０の支持構造、抜け止め構造の有無や構成によって限定されることはない。
【００９０】
さらにまた、上記実施の形態では、ローラ部材９０が樹脂材にて構成される例を示したが、本発明はこれに限定されず、例えば、ローラ部材９０を無垢または表面処理等を施した金属材等にて構成しても良い。また、ロール部材９０が樹脂材にて構成される場合において、その材料、含有する潤滑材やフィラー材の有無または組成によって限定されることはない。
【００９１】
さらに、上記の実施形態では、ディスクメディア１２の直径が略１２０ｍｍである構成としたが、本発明はこれに限定されず、如何なる寸法のディスクメディア１２を備えるディスクカートリッジ１０についても本発明が適用可能であることは言うまでもない。また、例えば、ディスクメディア１２は、片面記録タイプのみならず両面記録タイプであっても良く、ユーザによる情報の記録を不能とした再生専用のディスクメディアであっても良いことは言うまでもない。したがって、上記したドライブ装置の記録再生ヘッドは、記録機能のみ、または再生機能のみを有するものであっても良い。
【図面の簡単な説明】
【００９２】
【図１】本発明の一実施形態に係るディスクカートリッジの外観を示す斜視図である。
【図２】本発明の一実施形態に係るディスクカートリッジの分解斜視図である。
【図３】本発明の一実施形態に係るディスクカートリッジを構成するカム凸部を示す斜視図である。
【図４】本発明の一実施形態に係るディスクカートリッジを構成するカム凸部を示す図であって、（Ａ）は支軸の変形処理前の状態を示す断面図、（Ｂ）は支軸の変形処理後のローラ部材抜け止め状態を示す断面図である。
【図５】本発明の一実施形態に係るディスクカートリッジを構成するシャッタ機構によるヘッド開口部の閉塞状態を示す模式的な平面図である。
【図６】本発明の一実施形態に係るディスクカートリッジを構成するシャッタ機構のヘッド開口部の閉塞または開放過程を示す模式的な平面図である。
【図７】本発明の一実施形態に係るディスクカートリッジを構成するシャッタ機構のヘッド開口部の閉塞または開放過程の図６とは異なる状態を示す模式的な平面図である。
【図８】本発明の一実施形態に係るディスクカートリッジを構成するシャッタ機構によるヘッド開口部の開放状態を示す模式的な平面図である。
【図９】従来のディスクカートリッジを示す図であって、（Ａ）はシャッタ機構によるヘッド開口部の閉塞状態を示す平面図、（Ｂ）はシャッタ機構によるヘッド開口部の開放状態を示す平面図である。
【図１０】従来の別のディスクカートリッジを示す概略平面図である。
【符号の説明】
【００９３】
１０    ディスクカートリッジ
１２    ディスクメディア
１４    ケース
１６    ヘッド開口部
１８    シャッタ機構
５０    ディスク収容部（収容部）
５２    支軸（第２シャッタの回動軸）
６０    インナロータ（操作部材）
７２    カム凸部（突起、連動機構）
７４    第２シャッタ（シャッタ部材）
７８    カム溝（係合溝、連動機構）
９０    ローラ部材
９２    支軸
【図１】
2005259315.tif 000003
【図２】
2005259315.tif 000004
【図３】
2005259315.tif 000005
【図４】
2005259315.tif 000006
【図５】
2005259315.tif 000007
【図６】
2005259315.tif 000008
【図７】
2005259315.tif 000009
【図８】
2005259315.tif 000010
【図９】
2005259315.tif 000011
【図１０】
2005259315.tif 000012